(57)【要約】【課題】  噴霧装置を所望の噴霧位置で再現可能に取り付けるためのシステムと方法を提供すること。【解決手段】  本技術は、噴霧部と取外し可能マウントをもつ噴霧装置を提供する。取外し可能マウントは、例えば位置決めシステムの取付け部材に取外し可能に取り付けられる。更に、取外し可能マウントが所望の噴霧位置で取付け部材に取り付けられたままであるように、取外し可能マウントが噴霧装置に取外し可能に取り付けられる。その結果、噴霧装置又はその代替物が、所望の噴霧位置で取外し可能マウントに再取付け可能になる。【選択図】      図２
2004261806.tif 000002
【特許請求の範囲】
【請求項１】
噴霧形成部を有する本体と、第一取外し可能継手及び第二取外し可能継手を具備する再現可能位置決めマウントとを具備する噴霧装置であって、第一取外し可能継手が、本体に取外し可能に結合され、また第二取外し可能継手が、外部の取り付け部材に取外し可能に結合可能であるところの噴霧装置。
【請求項２】
噴霧形成部が空気噴出口を具備するところの、請求項１に記載の噴霧装置。
【請求項３】
空気噴出口が、噴霧整形空気噴出口を具備するところの、請求項２に記載の噴霧装置。
【請求項４】
空気噴出口が、流体霧化空気噴出口を具備するところの、請求項２に記載の噴霧装置。
【請求項５】
噴霧形成部が、流体ノズルを具備するところの、請求項１に記載の噴霧装置。
【請求項６】
流体ノズルが、本体の内部キャビティ内に取外し可能に配設されるところの、請求項５に記載の噴霧装置。
【請求項７】
流体ノズルに沿って延在する空気通路を具備する、請求項５に記載の噴霧装置。
【請求項８】
流体ノズルにおける密封位置まで延びる圧力開放弁を具備する、請求項５に記載の噴霧装置。
【請求項９】
取付けブラケットがピボット継手を具備するところの、請求項１に記載の噴霧装置。
【請求項１０】
噴霧装置が、自動スプレーガンを具備するところの、請求項１に記載の噴霧装置。
【請求項１１】
再現可能位置決めマウントが、第一取外し可能継手及び第二取外し可能継手の周りで回転可能であるところの、請求項１に記載の噴霧装置。
【請求項１２】
第一取外し可能継手及び第二取外し可能継手の少なくとも一つが、ファスナを有する取付けレセプタクルを具備するところの、請求項１に記載の噴霧装置。
【請求項１３】
噴霧装置を具備する噴霧システムであって、前記噴霧装置が：
空気通路及び流体通路を有する部分と；
流体通路と流体連通する流体ノズルと；
流体ノズルの周りに配設され、且つ空気通路と空気連通する噴霧形成部と；
第一取外し可能継手及び第二取外し可能継手を具備する再現可能位置決めマウントと；を具備し、
第一取外し可能継手が噴霧装置に取外し可能に結合され、また第二取外し可能継手が外部の取り付け部材に取外し可能に結合可能である、噴霧システム。
【請求項１４】
噴霧装置に結合された位置決めシステムを具備する、請求項１３に記載の噴霧システム。
【請求項１５】
位置決めシステムが、固定位置決め構造物を具備するところの、請求項１４に記載の噴霧システム。
【請求項１６】
位置決めシステムが、移動可能位置決め機構を具備するところの、請求項１４に記載の噴霧システム。
【請求項１７】
噴霧装置に結合された自動システムを具備する、請求項１３に記載の噴霧システム。
【請求項１８】
噴霧装置が、木材表面処理材料を噴霧するように適合させられた、請求項１３に記載の噴霧システム。
【請求項１９】
噴霧装置が、塗料を噴霧するように適合させられた、請求項１３に記載の噴霧システム。
【請求項２０】
噴霧装置が、化学処理剤を噴霧するように適合させられた、請求項１３に記載の噴霧システム。
【請求項２１】
噴霧装置が、セラミック被覆材を噴霧するように適合させられた、請求項１３に記載の噴霧システム。
【請求項２２】
噴霧装置が、自動スプレーガンを具備するところの、請求項１３に記載の噴霧システム。
【請求項２３】
噴霧装置を具備する噴霧システムであって、前記噴霧装置が：
材料を所望の噴霧パターンに霧化することに適合させられた噴霧形成部と；
噴霧装置を取付け部材に再現可能な位置で固定することに適合させられた取外し可能マウントとを具備し、
取外し可能マウントが、噴霧装置に結合された第一の取外し可能コネクタと、取付け部材に結合可能な第二の取外し可能コネクタとを具備する、噴霧システム。
【請求項２４】
噴霧形成部が、空気霧化噴出口を具備するところの、請求項２３に記載の噴霧システム。
【請求項２５】
噴霧装置が、被覆材を噴霧するように適合させられた、請求項２３に記載の噴霧システム。
【請求項２６】
被覆材がセラミック被覆材を含んでなるところの、請求項２５に記載の噴霧システム。
【請求項２７】
噴霧装置が、化学処理剤を噴霧するように適合させられた、請求項２１に記載の噴霧システム。
【請求項２８】
化学処理剤が殺虫剤を含んでなるところの、請求項２７に記載の噴霧システム。
【請求項２９】
位置決めシステムと噴霧装置とを具備する噴霧システムであって：
前記位置決めシステムが取付けアームを具備し；
前記噴霧装置が：
流体霧化機構を有する本体と；
本体に取外し可能に結合された第一の取外し可能コネクタ、及び取り付けアームに所望の噴霧位置で取外し可能に結合された第二の取外し可能コネクタを具備する再現可能位置決めマウントと；を具備する、噴霧システム。
【請求項３０】
噴霧装置が、セラミック被覆材を塗布するように適合させられた、請求項２９に記載の噴霧システム。
【請求項３１】
材料を所望の噴霧パターンに霧化するための霧化手段と、霧化手段を再現可能な位置で取付け部材に取外し可能に取り付けるための取付手段とを具備する、噴霧システム。
【請求項３２】
霧化手段を所望の噴霧方向で位置決めするための位置決め手段を具備する、請求項３１に記載の噴霧システム。
【請求項３３】
位置決め手段を自動化するための自動化手段を具備する、請求項３２に記載の噴霧システム。
【請求項３４】
噴霧装置を取外し可能マウントを介して所望の噴霧位置に取外し可能に取り付ける段階と；
取外し可能マウントを所望の噴霧位置に維持して、噴霧装置を取外し可能マウントから取り外す段階と；
噴霧装置を所望の噴霧位置で取外し可能マウントに再取り付けする段階と；を含んでなる方法。
【請求項３５】
取外し可能に取り付ける段階が、噴霧装置を位置決めシステムに回動可能に結合させる段階を含んでなるところの、請求項３４に記載の方法。
【請求項３６】
取外し可能に取り付ける段階が、取外し可能マウントの取付けレセプタクルの中に取付け部材を受容する段階を含んでなるところの、請求項３４に記載の方法。
【請求項３７】
取外し可能に、取り付ける段階、取り外す段階、及び再取り付けする段階が、噴霧装置を所望の噴霧位置で再現可能に取り付ける段階を含んでなる、請求項３４に記載の方法。
【請求項３８】
セラミック被覆材を有する流体供給源に噴霧装置を連結する段階を含んでなる、請求項３４に記載の方法。
【請求項３９】
塗料材料を有する流体供給源に噴霧装置を連結する段階を含んでなる、請求項３４に記載の方法。
【請求項４０】
化学処理剤を有する流体供給源に噴霧装置を連結する段階を含んでなる、請求項３４に記載の方法。
【発明の詳細な説明】
【技術分野】
【０００１】
本技術は、噴霧システム一般に関するものである。より具体的には、本技術は、噴霧装置を所望の噴霧位置に再現可能に取り付けるために提供される。
【背景技術】
【０００２】
噴霧装置は、例えば霧化された流体噴霧のような噴霧を作り出すように働くいくつかの部分と通路とを通常は有する。多くの状況では、清掃、点検、部品交換、または他の理由のために噴霧装置を分解することが望まれている。残念ながら、噴霧装置内の余剰の流体は、分解中にしばしば隣接する空気の通路の中に、及び噴霧装置の他の部分に流れ出す。この流体の流出は、流体と、空気の通路、特に流体ノズルの周囲に延在する空気の通路とが極めて接近している結果であると部分的には考えられる。流体ノズルの内部容積はこの流体の流出を更に助長する。例えば、既存の流体ノズルは、集束形流体通路に移行する比較的長い円筒状通路をしばしば有する。流体ノズルが取り外されたとき、円筒状通路と集束形通路との中の余剰流体が隣接する空気通路の中に排出されることがある。
【０００３】
ある種の用途では、噴霧装置は固定システム又は移動システムに取り付けられる。例えば、一つ以上の噴霧装置が、所望の材料を目標物体に塗布するように働く仕上げシステムに取り付けられることがある。そのようなシステムでは、噴霧装置の取り付け位置は、噴霧工程に対して特に重要である。残念ながら、既存の噴霧装置は、一般的にねじ又はボルトにより所望のシステムに直接的に取り付けられる。取り外しが必要な場合には、以前の取り付け位置が失われる。
【発明の開示】
【発明が解決しようとする課題】
【０００４】
従って、前述の一つ以上の問題に取り組む技術が必要とされている。
【課題を解決するための手段】
【０００５】
噴霧装置を所望の噴霧位置に再現可能に取り付けるためのシステムと方法である。本技術は、噴霧装置に霧化噴霧部と取外し可能マウントとを提供する。取外し可能マウントは、位置決めシステムのような取付け部材に取り外し可能に取り付けられる。更に、取外し可能マウントは、取外し可能マウントが所望の噴霧位置で取付け部材に取り付けられたまま残るように、噴霧装置に取外し可能に取り付けられる。従って、噴霧装置又はその代替物は、所望の噴霧位置で取外し可能マウントに再装着され得る。
【０００６】
本発明の前述の又は他の利点は、次の詳細な説明を読み、また添付図面を参照することにより明らかになるであろう。
【発明を実施するための最良の形態】
【０００７】
次に更に詳しく論述されるように、本技術は、分解、点検、及びほぼ同じ噴霧位置での再現可能な取付けを容易にする特徴を有する独特な噴霧装置を提供する。例えば、本技術の噴霧装置は、分解及び点検の間における噴霧装置の望まない領域の中への流体の流出の可能性を低下させる様々な構造的特徴を有している。本噴霧装置は、独特な取付け機構も有しており、前記取付け機構は、噴霧装置の取外し及びその次の再取付けの場合における噴霧装置の所望の取付け位置を保存する。
【０００８】
ここで添付図面を参照すると、図１は例示的噴霧システム１０を示す流れ図であり、前記噴霧システム１０は所望の材料を目標物体１４に塗布するための噴霧装置１２を具備している。例えば、噴霧装置１２は、空気霧化器、回転霧化器、静電霧化器、又は他の適切な霧形成機構を具備している。噴霧装置１２は、圧力作動弁アセンブリのような、自動始動及び/又は開閉機構も具備する。噴霧装置１２は、（流体又は粉末の）材料供給源１６、空気供給源１８、及び制御システム２０のような様々な供給源及び制御システムに連結される。制御システム２０は、材料供給源１６及び空気供給源１８の制御を容易にして、噴霧装置１２が目標物体１４上の合格品質の吹付け塗膜を提供することを保証する。例えば制御システム２０は、自動システム２２、位置決めシステム２４、材料供給制御器２６、空気供給制御器２８、コンピュータシステム３０、及びユーザー・インターフェイス３２を含む。制御システム２０は、噴霧装置１２に対する目標物体１４の移動を容易にする位置決めシステム３４にも連結されることがある。例えば位置決めシステム２４及び３４の一方又は両方が、組立ライン、油圧リフト、ロボットアーム、及び制御システム２０によって制御される他の様々な位置決め機構を具備し得る。その結果、噴霧システム１０は、コンピュータ制御の噴霧パターンを目標物体１４の表面にわたって提供できる。
【０００９】
図１の噴霧システム１０は、広範囲の多様な、用途、材料、目標物体、及び噴霧装置１２のタイプ／構造形に適用される。例えば、使用者は、異なる材料及び異なる製品タイプのような様々な異なる物体３８から所望の物体３６を選択する。また使用者は、複数の異なる材料４２から所望の材料４０を選択することもでき、前記複数の異なる材料４２は、例えば金属、木材、石、コンクリート、セラミック、ガラス繊維、ガラス、及び生体等々のような種々の物質のための異なる材料タイプと特性とを包含できる。例えば、所望の材料４０は、塗料、着色剤、並びに例えば家具用塗料、自動車用塗料、工業製品用塗料、及び消費財用塗料のような他の様々な塗装材料を含む。さらなる例として、所望の材料４０は、ほうろう、セラミック釉薬、又はトイレ、流し、湯沸し器、洗濯機、並びにディナープレート及び食器等々に塗布される他のセラミック被覆材を含む。所望の材料４０は、殺虫剤、防かび剤、及び他の様々な化学処理剤も含む。さらに所望の材料４０は、固体形態（例えば粉末）、流体形態、多相形態（例えば固体及び液体）、又は他の適切な形態を有する。
【００１０】
図２は、噴霧装置１２の例示的実施例を示す斜視図である。図示されるように噴霧装置１２は、ベース部５２と、ベース部５２に連結された中間部５４と、中間部５４に連結されたヘッド部５６と、ヘッド部５６に連結された噴霧形成部５８とを具備する。流体入口６０と空気入口６２も本体５０の中に延び、それにより所望の流体と空気を噴霧装置１２の中に供給してヘッド部５６及び噴霧形成部５８によって所望の噴霧を形成する。上述したように、噴霧装置１２は適切な流体霧化機構、空気弁、流体弁、及び噴霧整形機構（例えば空気整形噴出口又はポート）等々を具備する。噴霧装置１２は、圧力作動弁によって自動的に作動又は始動されもする。
【００１１】
図示された実施例では、噴霧装置１２は取外し可能マウント６４も具備しており、前記取外し可能マウント６４は、おねじファスナ６６及びめねじファスナ６８のような固定機構により本体５０に取外し可能に結合される。他の適切な工具不要又は工具ベースのファスナも本技術の範囲内である。例えば取外し可能マウント６４は、ラッチ、ばね荷重式機構、リテーナ部材、圧縮密着機構、電気機械的ラッチ機構、取外し可能ピン、又は取外し可能ジョイント若しくはヒンジ等々により本体５０に結合される。取外し可能マウント６４は、取付けレセプタクル７０、並びに該取付けレセプタクル７０の中に延びる止めねじ７２及び７４のような外側の取付け機構も具備する。以下に更に詳細に論述されるように、取付け部材又はロッドを取付けレセプタクル７０の中に延在させて取外し可能マウント６４を取付けファスナ又は止めねじ７２及び７４により取付け部材又はロッドに固定することによって噴霧装置１２を所望の固定又は移動位置決めシステムに取付けることができる。噴霧装置１２は、取付けファスナ７２及び７４を取付け部材から係合解除することによるか、又はファスナ６６及び６８を噴霧装置１２の本体５０から係合解除することにより取外し可能である。この例示的実施例では、後のアプローチが使用されて、取外し可能マウント６４の所望の取付け位置を取付け部材上に維持する。従って、噴霧装置１２が、保守、取り替え、又は他の目的のために取り外される場合、噴霧装置１２又はその代替物が、同じ又はほぼ同じ取付け位置に再取付け可能であることを保証するために、取外し可能マウント６４は、取付け部材に取り付けられたままである。
【００１２】
ここで内部の特徴を検討すると、図３は、噴霧装置１２の側面断面図であって、例示的な、流体通路、流量制御機構、及び噴霧形成機構を図示している。図示されるように、流体通路７６が、ヘッド部５６の中へ斜めに縦方向中心線７８まで延びており、そこでは流体通路７６は、縦方向中心線７８に整列され、またヘッド部５６の前部８０まで続いている。前部８０において、流体通路７６は、前部８０から縦方向にオフセットした流体出口８４を有する突出流体通路８２を形作るために、前部８０から外方に延びる。図示されるように、流体ノズル８６が、流体出口８４においてリテーナ８８によって突出流体通路８２に取外し可能に結合されており、この流体ノズル８６は、突出流体通路８２の雄ねじ９２と係合した雌ねじ９０を有する環状構造を具備している。図示された流体ノズル８６は、突出流体通路８２の外方に傾いた出口表面９６に当接する内方に傾いた入口表面９４を具備しており、それによりリテーナ８８が突出流体通路８２とねじ係合するとき圧縮密着又はくさび形密封を形成する。代わりに流体ノズル８６が、他の様々な密封部材（例えばＯリング）、圧縮密着機構、ねじ係合、又はシール材料等々により突出流体通路８２に結合されてもよい。流体ノズル８６は、内方に傾いた入口表面９４から環状流体出口１００に向かって外方に延びる集束内部通路９８も有している。
【００１３】
流体ノズル８６が、成形工程、切削加工、又は他の適切な製造工程により一体形構造物で構成されることが留意されるべきである。しかしながら、他のどんな多部分構造物及び組立プロセスも本技術の範囲内にある。図示された流体ノズル８６は、集束内部通路９８により実質的に形成される比較的小さな内部容積も有している。より詳細に以下に論述されるように、前述の突出流体通路８２及び集束内部通路９８は確実な利益を提供する。例えば、通路８２及び９８は、流体ノズルが突出流体通路８２から取り外されるところの、点検、保守、及び他の機能の間に、噴霧装置１２の他の部分の中への流体の排出又は流出を低減させる。
【００１４】
図３に示されるように、噴霧装置１２は、ベース部５２から中間部５４を通ってヘッド部５６を通って、つまり本体５０を通って噴霧形成部５８の中に延びる針又は弁部材１０４を有する流体弁アセンブリ１０２も具備している。ベース部５２において、流体弁アセンブリ１０２は弁ばね１０６を有しており、前記弁ばね１０６は、弁部材１０４をベース部５２から噴霧形成部５８の方に向けて外方にばね作用で付勢し、前記噴霧形成部５８では弁部材１０４の楔状先端１０８が、流体ノズル８６の集束内部通路９８の対応する内側部分１１０に接して圧縮密封をする。流体弁アセンブリ１０２は、流体ノズル８６に対する弁部材１０４の内方への開放を促進するために、圧力付勢機構又はピストンアセンブリ１１２も具備している。圧力付勢機構又はピストンアセンブリ１１２は、弁部材１０４の周囲に配設された弁ピストン１１４と、ベース部５２のチャンバー１１８内で弁ばね１０６の周囲に配設されたピストン付勢ばね１１６と、ベース部５２と中間部５４との間で、弁ピストン１１４の周囲でチャンバー１１８を横切って当接エッジ１２２まで延在する空気ダイヤフラム１２０とを具備する。他の圧力付勢機構も本技術の範囲内にある。例えばピストンアセンブリ１１２が、シリンダーの内壁に密封接触して配設されるピストンを具体化することができる。
【００１５】
図３に更に図示されているように、ピストン付勢ばね１１６は、弁ピストン１１４をベース部５２から中間部５４の方に外方にばね作用で押し込んでいる。この外方に付勢された位置において、弁ピストン１１４は、弁部材１０４に結合された弁係合部材１２４から係合解除されている。空気入口６２の一つから内部空気通路１２６へ空気が供給された場合、空気は、空気ダイヤフラム１２０に圧力を加えて対応する弁ピストン１１４をピストン付勢ばね１１６のばね力に打ち勝つのに十分な力で付勢する。その結果、弁ピストン１１４は中間部５４からベース部５２へ内方に移動する。空気圧力が、弁ピストン１１４を弁係合部材１２４に対して内方に押し込むとき、空気圧力は弁ばね１０６のばね力に更に打ち勝つ。したがって、弁ピストン１１４は、弁係合部材１２４及び対応する弁部材１０４を中間部５４からベース部５２へ内方に押圧付勢し、その結果弁部材１０４及び対応する楔状先端１０８を流体ノズル８６の内側部分１１０から内方に離して開放位置に移動させる。弁アセンブリ１０２は、内方開放弁として図示されているが、外方開放弁、独立内部弁、独立外部弁、又は他の適切な弁構造を具備してもよい。更に、弁アセンブリ１０２は、ピストン・シリンダアセンブリ、電気機械弁機構、又は磁気作動弁等々のような、適切な手動又は自動弁機構を具備してもよい。
【００１６】
噴霧装置１２の、様々な部分及び内部通路及び構造物が、相互に結合されて、ねじ、シール、Ｏリング、ガスケット、圧縮密着機構、又はパッキンアセンブリ等々により密封される。例えば、図３に示されるように、噴霧装置１２は、内部空気通路１２６と流体通路７６との間で弁部材１０４の周囲に配設された空気パッキンアセンブリ１２７と流体パッキンアセンブリ１２８とを具備している。更にベース部５２は、ねじ１３４及びＯリング若しくはシール部材１３６それぞれにより内側環状構造物１３２にねじ結合されて密封されている外側環状構造物又はキャップ１３０を具備している。内側環状構造物１３２は、ねじ１３８と、ベース部５２と中間部５４との間で当接エッジ１２２の範囲内に配設された空気ダイヤフラム１２０の部分とを介して中間部５４にねじ結合されて密封される。追加のシールも本技術の範囲内で提供され得る。
【００１７】
中間部５４において、噴霧装置１２は、空気弁若しくは流量制御機構１４０も具備しており、前記空気弁若しくは流量制御機構１４０は、中間部５４の中に斜めに延びるレセプタクル１４２内に取り付けられている。図示されるように、流量制御機構１４０は突出弁部材１４４を具備しており、前記突出弁部材１４４は、空気通路１２６と１４８との間で空気通路１４８の中へ延びる環状開口１４６を解放可能に密封する。この結果、流量制御機構１４０は、ヘッド部５６及び噴霧形成部５８の中への空気流量に対する制御を空気通路１４８を介して提供する。図示された噴霧装置１２は、中間部５４とヘッド部５６との間に配設されたガスケット１５０も有しており、それにより、前記二つの部分の間と、前記二つの部分の間に延在する空気通路の周囲とに気密密封を作り出す。追加のシールも本技術の範囲内で提供され得る。
【００１８】
ヘッド部５６は、空気通路１５２の空気出口１５４が突出流体通路８２流体出口８４から縦方向にオフセットされるように、中間部５４から前部８０に延びる空気通路１５２も具備する。流体ノズル８６が突出流体通路８２から取り外された場合に、流体出口８４と空気出口１５４との間の前述の縦方向のオフセット距離は、空気通路１５２と、噴霧装置１２の他の部分との中への流体排出又は流出を実質的に低減させるか又は解消させる。
【００１９】
ここで噴霧形成部５８を参照すると、様々な流体通路及び流れ増強構造物が図３を参照して図解される。図示されるように、噴霧形成部５８は、内部空気偏向リング１５６と、内部空気偏向リング１５６に隣接して配設された前部エアキャップ１５８と、ヘッド部５６に取外し可能に結合されて内部空気偏向リング１５６及び前部エアキャップ１５８の周囲に配設された外部リテーナリング１６０とを具備している。内部空気偏向リング１５６はヘッド部５６の前部８０に接して圧縮密着又はくさび状界面１６２によって密封される。同様に、前部エアキャップ１５８は、内部空気偏向リング１５６に接して圧縮密着又はくさび状界面１６４によって密封される。最後に、外部リテーナリング１６０は、内方リップ１６６を具備しており、前記内方リップ１６６は前部エアキャップ１５８の外方リップ１６８を捉えて密封する。外部リテーナリング１６０が、ねじ１７０によってヘッド部５６にねじ結合されるとき、外部リテーナリング１６０は、前部エアキャップ１５８、内部空気偏向リング１５６、及びヘッド部５６を互いの方に圧縮して、圧縮式又はくさび式シールをくさび状界面１６２及び１６４の各々で生み出す。図示されるように、シール部材又はＯリング１７１が、外部リテーナリング１６０とねじ１７０に隣接するヘッド部５６との間に備えられる。
【００２０】
アセンブリの中で、流体ノズル８６から出る流体の霧化を促進するために、噴霧形成部５８の様々な構成部品も様々な通路を形成する。図示されるように、内部空気偏向リング１５６、前部エアキャップ１５８、及び外部リテーナリング１６０は、Ｕ字形又は湾曲空気通路１７２を集合して形成し、前記Ｕ字形又は湾曲空気通路１７２は、ヘッド部５６内の空気通路１４８から前部エアキャップ１５８内のエアキャップ通路１７４まで延びる。エアキャップ通路１７４は、空気整形ポート又は噴出口１７６の中に更に延びており、前記空気整形ポート又は噴出口１７６は、中心線７８の方に内方に方向付けられて所望の噴霧形状を助長する。内部空気偏向リング１５６及び前部エアキャップ１５８は、突出流体通路８２、流体ノズル８６、及びリテーナ８８の周囲に内部空気通路１７８も形成する。図示されるように、内部空気通路１７８は、ヘッド部５６の空気通路１５２から前部エアキャップ１５８の前部分１８２における複数の噴霧ポート若しくは噴出口１８０まで延びる。これらの噴霧ポート若しくは噴出口１８０は、それらが流体ノズル８６から出る流体の霧化を促進するように、流体ノズル８６の環状流体出口１００の周囲に配設される。やはり、噴霧装置１２が流体の噴霧を作り出すとき、空気整形ポート若しくは噴出口１７６は、平坦噴霧、広い円錐状噴霧パターン、又は狭い円錐状噴霧パターン等々のような所望の噴霧形状又はパターンを助長する。
【００２１】
図４は、ヘッド部５６及び噴霧形成部５８の側面断面分解図であって、本技術の噴霧装置１２の例示的特徴を示している。噴霧装置１２が、清掃、点検、保守、部品交換、又は図４に示されるように噴霧形成部５８がヘッド部５６から取り外されるところの他の機能を受けることが予想される。例えば、噴霧装置１２の動作の後、噴霧形成部５８は、流体ノズル８６及び噴霧装置１２の他の内部通路の清掃を容易にするために取り外される。在来の構造とは対照的に、前述の及び他の機能は、突出流体通路８２により、並びに流体出口８４及び空気出口１５４の隔離により、並びに流体ノズル８６の比較的小さな内部容積により、より迅速且つ清潔に実行される。例えば、流体通路７６及び流体ノズル８６が噴霧装置１２の使用を続ける余剰流体を含んでいる場合、突出流体通路８２、及び流体出口８４と空気出口１５４との隔離が、流体ノズル８６のヘッド部５６からの取り外しの際の、流体の空気通路１５２内への排出若しくは流出を防ぐ。更に、集束内部通路９８により形成された流体ノズル８６の比較的小さな内部容積も、流体ノズル８６のヘッド部５６からの取り外しの間に流体ノズル８６から排出される流体の量を実質的に低減させる。本技術の流体ノズル８６は、流体ノズル８６がより小さな内部表面積とより浅い深さとを有しているので、従来の構造のものより迅速に清掃されることも可能である。同じ理由のために、本技術の流体ノズル８６は、在来の構造のものよりも相対的に低いコストで製造及び交換され得る。
【００２２】
ここで図５を参照すると、取外し可能マウント６４のより良い図解のために噴霧装置１２の側面図が提供される。取外し可能マウント６４は、おねじファスナ６６及びめねじファスナ６８によって本体５０の上部１８４に取外し可能に結合される。しかしながら、他の適切な工具不要又は工具ベースのファスナが、本技術の範囲内で使用され得る。図示されるように、取外し可能マウント６４が所望の固定又は移動デバイスに取外し可能に結合されることが可能なように、取付けファスナ又は止めねじ７２及び７４が、取付けレセプタクル７０の中にねじ込み可能である。噴霧装置１２が所望の方向に回転できるように、取外し可能マウント６４の一方の端部又は両方の端部は、即ちファスナ６６及び取付けレセプタクル７０において、回転又は回動できることが留意されるべきである。図示された実施例では、ファスナ６６、６８、７２、及び７４の締まり具合が噴霧装置１２及び取外し可能マウント６４の回転可能性を制御する。ファスナ６６及び６８が噴霧装置１２を取外し可能マウント６４にきつく固定した場合は、噴霧装置１２は取外し可能マウント６４を中心にして回転できない。同様に、取付けファスナ又は止めねじ７２及び７４が所望の固定又は移動デバイスにきつく係合した場合には、取外し可能マウント６４は、前記デバイスを中心に回転できない。
【００２３】
図６は、そのような固定又は移動デバイスの取付け部材又はロッド１８６に取外し可能に結合された、噴霧装置１２の正面図である。例えば、取付け部材又はロッド１８６は、ロボットのアーム、組立ライン、固定位置決め構造物、固定ロッド又は部材、レール機構、ケーブル及びプーリー機構、油圧アセンブリ、移動位置決め構造物、又は他の適切な構造物から延びることができる。図１に戻ってこれを参照すると、取付け部材又はロッド１８６は位置決めシステム２４の一体部分である。噴霧装置１２は、取付け部材又はロッド１８６を取付けレセプタクル７０の中に受容して、噴霧装置１２を所望の噴霧位置に調整して、次に取付けファスナ又は止めねじ７２及び７４を取付けレセプタクル７０の中にねじ込んで取付け部材又はロッド１８６に接触させることにより取付けられる。
【００２４】
噴霧装置１２は、取付けファスナ７２及び７４を取付け部材又はロッド１８６から係合解除させること、又はファスナ６６及び６８を噴霧装置１２の本体５０から係合解除させることにより取外し可能である。図７は、取外し可能マウント６４から分解された噴霧装置１２の正面図である。図示されるように、取外し可能マウント６４は、その取付け位置を取付け部材又はロッド１８６に維持され、その結果噴霧装置１２又はその代替物は当初の取付け位置に復帰可能となる。例えば、噴霧装置１２は、点検、清掃、保守、部品交換、又は他の目的のために取り外される。噴霧装置の位置決めに対する、噴霧工程の鋭敏性を考えると、本技術の取外し可能マウント６４は、噴霧装置１２及びシステム１０のための、再現可能な位置決め、再現可能な噴霧パターン、及び再現可能な噴霧成果を助長する。やはり、他の取外し可能な取付け機構は、本技術の範囲内にある。
【００２５】
本発明は様々な変形形態及び代替形態を許容する一方で、特定の実施例は、単なる例示として、添付図面において示されまた本明細書で詳細に説明されてきた。しかしながら、本発明が、開示された特定の形態に限定されることが意図されていないことが理解されるべきである。そうではなく、本発明は、添付された特許請求の範囲により規定される本発明の精神と範囲との中に含まれる、あらゆる変形形態、均等物、及び代替物を包含するものである。
【図面の簡単な説明】
【００２６】
【図１】図１は、本技術の特定の実施例による噴霧装置を有する例示的噴霧システムを示す図表である。
【図２】図２は、図１に示された噴霧装置の例示的実施例の斜視図である。
【図３】図３は、図２で示された噴霧装置の、例示的な内部通路及び流量制御部品を示す側面断面図である。
【図４】図４は、図２及び３に示された噴霧装置の例示的な霧形成部を示す部分側面断面図である。
【図５】図５は、図１に示された噴霧装置の例示的な取外し可能マウントを示す側面図である。
【図６】図６は、図５に示された取外し可能マウントを介して取付け部材に取り付けられた噴霧装置を示す正面図である。
【図７】図７は、図６の取付け部材から取り外された噴霧装置を示す分解正面図である。
【符号の説明】
【００２７】
１２…噴霧装置
５０…本体
５２…ベース部
５４…中間部
５６…ヘッド部
５８…噴霧形成部
６４…取外し可能マウント
６６…ねじファスナ
７０…取付けレセプタクル
１８６…取付け部材又はロッド
【図１】
2004261806.tif 000003
【図２】
2004261806.tif 000004
【図３】
2004261806.tif 000005
【図４】
2004261806.tif 000006
【図５】
2004261806.tif 000007
【図６】
2004261806.tif 000008
【図７】
2004261806.tif 000009